(57)【特許請求の範囲】
【請求項１】
上端の開口縁に外向きのフランジ（１）を有するカップ（２）が隣接配置され、カップ（２）のフランジ上面の感熱接着能を有する合成樹脂層に、複数のカップ（２）を連結する厚紙製のホルダー（３）が、その下面の感熱接着能を有する合成樹脂層により熱溶着されており、
厚紙製のホルダー（３）には複数の係止片（７〜１２）がホルダー（３）下方へ向けて折曲して形成され、
複数の係止片（７〜１２）は個々のカップ（２）についてフランジ（１）の全周に３箇所（Ａ，Ｂ，Ｃ）に分散して配置される様にホルダー（３）の周縁部と中心部に形成されており、
複数の係止片（７〜１２）の各々は２つのカップ（２）のフランジを下側から係止しており、
ホルダー（３）の周縁部に形成された係止片（７，８，１０，１１）の各々は略凸字形で、ホルダー（３）に対して折曲され且つ下垂しており、ホルダー（３）の周縁部に到達し且つフランジ（１）の外周縁部（２１）に到達する折れ曲がったスリット（１４，１５）と、フランジ（１）の外周縁部（２１）と交叉する山折線（１３）とにより構成されており、
折れ曲がったスリット（１４，１５）は山折線（１３）に近接する水平上辺（１９，２０）を有し、山折線（１３）と水平上辺（１９，２０）との間隔（Ｈ）はフランジ（１）の厚さ寸法（Ｔ）に等しく、
ホルダー（３）の中央部に形成された係止片（９，１２）の中央にはスリット（２２）が形成されており、当該スリット（２２）によりホルダー（３）の中央部に形成された係止片（９，１２）はスリット（２２）に対して線対称な形状となり、
ホルダー（３）の中央部に形成された係止片（９，１２）は略凸字形であり、ホルダー（３）に対して折曲され且つ下垂しており、スリット（２２）及びフランジ（１）の外周縁部（２１）に到達する折れ曲がったスリット（２５，２６，２７，２８）と、フランジ（１）の外周縁部（２１）に交叉する山折線（２３，２４）とにより構成されており、
折れ曲がったスリット（２５，２６，２７，２８）は山折線（２３，２４）に近接する水平上辺（３５，３６，３７，３８）を有し、山折線（２３，２４）と水平上辺（３５，３６，３７，３８）との間隔（Ｈ）はフランジ（１）の厚さ寸法（Ｔ）に等しく、
各カップ（２）のフランジ（１）は、周方向における２箇所（Ａ，Ｂ）にて、ホルダー（３）とその周縁部に形成された係止片（７，８，１０，１１）の水平上辺（１９，２０）により挟圧支持され、フランジ（１）の周方向における１箇所（Ｃ）にて、ホルダー（３）とその中央部に形成された係止片（９，１２）の水平上辺（３５，３６，３７，３８）により挟圧支持され、
各カップ（２）のフランジ（１）が、ホルダー（３）とその周縁部に形成された係止片（７，８，１０，１１）の水平上辺（１９，２０）により挟圧支持される周方向の２箇所（Ａ，Ｂ）がカップ（２）の中心と形成する角度（角Ａ−Ｏ−Ｂ）は１４０度か、それ未満である
ことを特徴とするカップの連結ホルダー。
【請求項２】
ホルダーの外周縁に形成されている少なくとも２箇所の係止片が線対称位置に形成され、指頭による連結ホルダー挟持部を形成している請求項１記載のフランジを有するカップの連結ホルダー。
【請求項３】
個々のカップ毎に分割するためホルダーに形成されている易破断線が、係止片に延在させられている請求項１または請求項２記載のフランジを有するカップの連結ホルダー。
【発明の詳細な説明】
【０００１】
【発明の属する技術分野】
本発明は、プリン、ヨーグルト、納豆等が収納される比較的小型の、フランジを有するカップを複数個並べて、トップシールすると同時に一括して支持できる連結ホルダーに関する。
【０００２】
【従来の技術】
フランジを有するカップを複数個並べてトップシールすると同時に一括して支持するようにした連結ホルダーとしては、既に特開平５−１７８３８５号公報に開示されるもの等が知られているが、カップのフランジに対するホルダーの係止強度が弱いため、プリンとかヨーグルト等の重量の大きいカップに適用すると、ホルダーのカップ支持力が弱いことが原因となり、個々のカップに分離する目的でホルダーに形成されている易破断部のうちの、カップ支持力の最も弱い部位直近の易破断部にカップ重量が集中し、該易破断部が破断しやすい問題があり、この問題を解決するため、流通段階では、シュリンク包装せざるを得ない現状である。
【０００３】
【発明が解決しようとする課題】
前記従来の連結ホルダーの問題点に鑑み、本発明は、カップのフランジに対する連結ホルダーの係止強度を、連結ホルダー構成材料の引裂強度に近い数値にまで向上させることにより、カップ重量の作用範囲を連結ホルダーの面内に分散させ、ホルダーに形成されている易破断部のうちの特定部位への重量の集中作用を防止し、シュリンク包装の必要が無い連結ホルダーを提供することを課題としている。
【０００４】
【課題を解決するための手段】
前記課題を解決するため請求項１の発明では、上端の開口縁に外向きのフランジ（１）を有するカップ（２）が隣接配置され、カップ（２）のフランジ上面の感熱接着能を有する合成樹脂層に、複数のカップ（２）を連結する厚紙製のホルダー（３）が、その下面の感熱接着能を有する合成樹脂層により熱溶着されており、
厚紙製のホルダー（３）には複数の係止片（７〜１２）がホルダー（３）下方へ向けて折曲して形成され、
複数の係止片（７〜１２）は個々のカップ（２）についてフランジ（１）の全周に３箇所（Ａ，Ｂ，Ｃ）に分散して配置される様にホルダー（３）の周縁部と中心部に形成されており、
複数の係止片（７〜１２）の各々は２つのカップ（２）のフランジを下側から係止しており、
ホルダー（３）の周縁部に形成された係止片（７，８，１０，１１）の各々は略凸字形で、ホルダー（３）に対して折曲され且つ下垂しており、ホルダー（３）の周縁部に到達し且つフランジ（１）の外周縁部（２１）に到達する折れ曲がったスリット（１４，１５）と、フランジ（１）の外周縁部（２１）と交叉する山折線（１３）とにより構成されており、
折れ曲がったスリット（１４，１５）は山折線（１３）に近接する水平上辺（１９，２０）を有し、山折線（１３）と水平上辺（１９，２０）との間隔（Ｈ）はフランジ（１）の厚さ寸法（Ｔ）に等しく、
ホルダー（３）の中央部に形成された係止片（９，１２）の中央にはスリット（２２）が形成されており、当該スリット（２２）によりホルダー（３）の中央部に形成された係止片（９，１２）はスリット（２２）に対して線対称な形状となり、
ホルダー（３）の中央部に形成された係止片（９，１２）は略凸字形であり、ホルダー（３）に対して折曲され且つ下垂しており、スリット（２２）及びフランジ（１）の外周縁部（２１）に到達する折れ曲がったスリット（２５，２６，２７，２８）と、フランジ（１）の外周縁部（２１）に交叉する山折線（２３，２４）とにより構成されており、
折れ曲がったスリット（２５，２６，２７，２８）は山折線（２３，２４）に近接する水平上辺（３５，３６，３７，３８）を有し、山折線（２３，２４）と水平上辺（３５，３６，３７，３８）との間隔（Ｈ）はフランジ（１）の厚さ寸法（Ｔ）に等しく、
各カップ（２）のフランジ（１）は、周方向における２箇所（Ａ，Ｂ）にて、ホルダー（３）とその周縁部に形成された係止片（７，８，１０，１１）の水平上辺（１９，２０）により挟圧支持され、フランジ（１）の周方向における１箇所（Ｃ）にて、ホルダー（３）とその中央部に形成された係止片（９，１２）の水平上辺（３５，３６，３７，３８）により挟圧支持され、
各カップ（２）のフランジ（１）が、ホルダー（３）とその周縁部に形成された係止片（７，８，１０，１１）の水平上辺（１９，２０）により挟圧支持される周方向の２箇所（Ａ，Ｂ）がカップ（２）の中心と形成する角度（角Ａ−Ｏ−Ｂ）は１４０度か、それ未満である
という構成にした。
【０００５】
請求項２の発明では、請求項１の発明に、ホルダーの外周縁に形成されている少なくとも２箇所の係止片が線対称位置に形成され、指頭による連結ホルダーの挟持部とされているという構成を付加した構成とした。
【０００６】
請求項３の発明では、請求項１または請求項２の発明に、個々のカップ毎に分割するためホルダーに形成されている易破断線が、係止片に延在させられているという構成を付加した構成とした。
【０００７】
【発明の実施の形態】
図１ないし図４は、請求項１，請求項２および請求項３の各発明を併せ適用した第１の実施例を示しており、上端の開口縁にカール状の外向きのフランジ１を有する４個の紙製のカップ２が、２個づつ２列に並んで隣接配置され、連結ホルダー３により一体に保持されている実施例である。
【０００８】
カップ２は、内周面にポリエチレンに代表されるごとき感熱接着能を有する合成樹脂フィルムのラミネートによる合成樹脂層を形成されており、カップ２の胴部４の上端縁辺をカールさせて外方へ突出させた外向きのフランジ１の上面も、該合成樹脂層が形成されることとなる。
【０００９】
連結ホルダー３は厚紙製のホルダー５で形成されており、その下面６には、前記ポリエチレンに代表されるごとき感熱接着能を有する合成樹脂フィルムのラミネートによる合成樹脂層が形成されており、前記４個並んで隣接配置されたカップ２群のフランジ１の上面に下面６を当接させられ、加熱、押圧加工を施されることにより、カップ２群の個々のカップのフランジ１の上面に熱溶着されることにより各カップ２のトップシールを形成している。
【００１０】
前記ホルダー５は、個々のカップに対し、そのフランジ１の全周にわたって分散配置された複数箇所、図示例では、周方向に概ね等間隔に近い間隔を存した複数の分割位置、図１の実施例では位置Ａ，Ｂ，Ｃの３位置に対応して係止片７，８，９，１０，１１，１２が折曲、形成されている。図示例ではカップ２の中心対応位置Ｏと各位置を結んだ線分の形成する角度がＡ−Ｏ−Ｃが約１１０度、Ｂ−Ｏ−Ｃが約１１０度、Ａ−Ｏ−Ｂが約１４０度に選定されている。この角度は後述するように、位置Ａ，Ｂ，Ｃの３点で、係止片７，８，９，１０，１１，１２のそれぞれからカップ２のフランジ１の下面に作用するカップ支持力で、該カップ２を安定して支持できる角度であればよく、安定した支持を実現するためには、角Ａ−ＯーＢが角度１８０度未満、出来うれば本実施例のごとく、角度１４０度か、それ未満であれば足りるものであり、係止片１０，１１，１２についても同様であるが、係止片７〜１２の数、配設位置等は、前記数値に限定されるものではない。
【００１１】
各係止片７，８，１０および１１は、同一構造に形成されているので、以下係止片７について、その構造を説明する。係止片７は図１に示されるごとく、上部の鎖線と、左右両側の折れ曲がった実線とで囲まれた横長の扁平凸字形とされ、鎖線部分は山折線１３であり、左右両側の実線部分はスリット１４，１５であり、スリット１４，１５により、係止片７は、山折線１３において、ホルダー５の下面側へ図３に示すごとく角度９０度折曲されて折曲片１６とされ、折曲片１６の左右両側には、当接片１７，１８が張り出し形成されている。
【００１２】
当接片１７，１８は山折線１３に近接して、水平上辺１９，２０を形成されており、水平上辺１９，２０とホルダー５の裏面との間の、図２に示される間隔Ｈはカップ２のフランジ１の厚さＴと等しく設定されている。
【００１３】
また前記山折線１３は、図１に示されるごとく、カップ２のフランジ１の外周縁２１と交叉する位置に形成されている。
【００１４】
係止片９および１２は、図示例の場合、ホルダー５の中央位置において、スリット２２で区分された対称形状とされ、それぞれ山折線２３，２４と、折れ曲がったスリット２５，２６，２７，２８とで囲まれた略凸字形とされ、山折線２３，２４において、ホルダー５の下面側へ、図３に示すごとく角度９０度折曲されて折曲辺２９，３０とされ、折曲片２９，３０の左右両側には当接片３１，３２，３３，３４が張り出し形成されている。
【００１５】
当接片３１〜３４は、山折線２３，２４に近接して水平上辺３５，３６，３７，３８を形成されており、この水平上辺３５〜３８とホルダー５の裏面との間の間隔は、前記係止片７の水平上辺１９，２０とホルダー５の裏面との間の間隔Ｈと同じく、カップ２のフランジ１の厚さＴと等しく設定されている。
【００１６】
また山折線２３，２４は、図１に示されるごとく、カップ２の外周縁２１と交叉する位置に形成されている。
【００１７】
本発明に係る連結ホルダー３の第１の実施例は、図１ないし図４について説明した構造であり、２個づつ２列に並んで隣接配置された４個のカップ２群のフランジ１の上面にホルダー５を載置し加熱、押圧すると、フランジ１の上面の感熱接着能を有する合成樹脂層と、ホルダー５の下面の感熱接着能を有する合成樹脂層とが溶着され、各カップ２がトップシールされる。
【００１８】
次いで各係止片７，８，９，１０，１１，１２を、それぞれの山折線１３，２３，２４に沿ってホルダー５の裏面方向へ角度９０度折曲させて下垂させると、各係止片７〜１２の当接片１７，１８，３１，３２，３３，３４の水平上面１９，２０，３５，３６，３７，３８が、それぞれ各カップ２のフランジ１の下面に当接し、ホルダー５とフランジ１との溶着部分との間でフランジ１を挟圧支持する。
【００１９】
前述の山折線１３，２３，２４は、カップ２のフランジ１の外周縁２１と交叉する位置に形成され、該山折線１３，２３，２４に沿って折曲された係止片７〜１２の折曲片の左右両側から当接片１７，１８，３１，３２，３３，３４が張り出し形成され、その上辺が水平上辺１９，２０，３５〜３８とされているので、水平上辺１９，２０，３５〜３８は、確実にフランジ１の下面に係合でき、ホルダー５とフランジ１との溶着部との間でフランジ１を確実に挟圧支持することができ、しかもその挟圧支持部は、フランジ１の全周にわたって分散配置された複数の位置に形成されるので、ホルダー５による吊持状態において、ホルダー５に対するカップ２の姿勢が自重で偏倚する傾向が全く生じない。
【００２０】
前記ホルダー５には、図１に示されるごとく、各カップ２をホルダー５ごと、個々に分散するためのミシン目等の易破断線３９，４０，４１，４２が係止片７，８，１０，１１に延在して形成されている。
【００２１】
図１ないし図４に示される実施例の場合、係止片７と係止片１０の組、および係止片８と係止片１１の組は、易破断線４０と４２および３９と４１に対し、それぞれ線対称位置に形成されているので、それぞれの組の係止片７，８，１０，１１は、折曲されて折曲片１６とされたとき、連結ホルダー３に対する指頭による挟持部を形成する。
【００２２】
折曲片１６，２９，３０等、係止片７〜１２が折曲されて折曲片とされた状態では、各折曲片はホルダー５に対し、角度９０度で下方向折曲されて位置するので、例えば、図１に符号Ｆで示す位置のみで連結ホルダー３を吊持したとしても、各折曲片がホルダー５の下方への撓曲に対する補強リブ的に作用し、易判断線３９〜４２からの不測の破断を防止する。
【００２３】
図１、図２において符号２Ａで示される位置のカップ２のみを切り離す際は、係止片７の折曲片１６に形成されている易破断線３９Ａを切断し、カップ２Ａを易破断線４０を回動軸とするよう上方へ変位させると、易破断線３９は容易に切断され、係止片９の易破断線３９Ｂも切断される。次いでカップ２Ａを図において右方向へ反転するよう捩回させると易破断線４０は切断され、他の易破断線４１，４２の破断を生ずることなく、カップ２Ａのみを外すことができる。
【００２５】
本発明に係る連結ホルダーにより係止されるカップの数は図示のものに限らず、３個、５個、６個等任意に選定し、ホルダーを設計できるものであり、またカップの形状も、横断面が円形のものに限らず横断面が、角形、楕円形等任意の形状のものに適用できることは勿論であり、カップの高さ、容量、材質等に格別の限定があるものでは無い。
【００２６】
【発明の効果】
請求項１の発明によると、カップのフランジ上面に感熱接着能を有する合成樹脂層の感熱接着能で溶着され、トップシールを完成しているホルダーが、個々のカップのフランジの全周にわたって分散配置された複数位置に折曲形成された係止片で係止されているので、個々のカップの重量が偏倚してホルダーに作用することが無く、安定した支持を実現できる効果がある。
【００２７】
前記係止片は、ホルダー下方へ向けて折曲形成され、その山折線はフランジの外周縁と交叉する位置に形成され、かつ折曲されて下垂して折曲片とされた係止片は、折曲片の左右両側から張り出し、フランジ下面に当接する当接片を有する略扁平凸字形とされているので、１個の係止片の左右の当接片は、それぞれ隣接するカップの各フランジ下面に当接し、２個のカップを支持するので、複数のカップに対するホルダーの支持応力がホルダー全面に略均等に分散されるし、個々の当接片に作用するカップ重量は、ホルダー平面に対し垂直下方を向く折曲片の面と平行に作用し、ホルダーと折曲片、折曲片と当接片との各境界を引き裂くように作用するので、その支持力は、ホルダー平面でカップ重量を支持する場合より数倍大きくすることができ、連結ホルダーの把持位置、吊持位置の如何によって、特定位の易破断線にカップ重量が集中して不測の破断を生ずるがごとき現象を防止できる効果を奏する。
【００２８】
前記効果のため、本発明によれば、連結ホルダーで複数のカップ群を結合、支持するのみで、重ねてのシュリンク包装を全く不必要としうる。
【００２９】
請求項２の発明によると、線対称位置の２個の係止片が、ホルダーから垂直下方へ折曲された折曲片を形成しており、指頭による把持が、折曲片の面によって行われるので、安定した強力な把持を実現しうる効果を奏する。
【００３０】
請求項３の発明によると、請求項１の発明によりカップ支持応力がホルダー全面に略均等に作用し、大きなカップ支持力が得られるにも拘わらず、個々のカップに分離する操作を、係止片に形成されている易破断部の破断を出発点として、他のカップ支持構造に悪影響を与えることなく容易に行い得る効果を奏する。
【図面の簡単な説明】
【図１】 第１の実施例のホルダーの展開平面図である。
【図２】 図１に示されるホルダーを用い、複数のカップを支持した連結ホルダーの側面図である。
【図３】 図２に示すものの、図１中Ｘ−Ｘ線位置における縦断面図である。
【図４】 図２に示すものの半截底面図である。
【符号の説明】
１ フランジ
２ カップ
３ 連結ホルダー
５ ホルダー
６ 下面
７〜１２ 係止片
１３ 山折線
１６ 折曲片
１７、１８ 当接片
２１ 外周縁
３９〜４２ 易破断線
Ａ，Ｂ，Ｃ 複数の位置
【図１】
0004247934.tif 000002
【図２】
0004247934.tif 000003
【図３】
0004247934.tif 000004
【図４】
0004247934.tif 000005